(57)【要約】      （修正有）【課題】電子機器の位置を判定する技術の利便性を向上させる電子機器、通信システム、および情報処理方法を提供する。【解決手段】電子機器は無線通信を行う通信部と、コントローラと、を備える。コントローラは、自機のユーザの自宅に備えられた通信装置を識別するための第１識別子を通信部によって取得すると、ユーザが帰宅したと特定する。通信システム１００は、電子機器と前記電子機器のユーザの自宅に備えられた通信装置とが無線通信で互いに通信を行う。通信装置は、当該通信装置を識別するための第１識別子を送信する。【選択図】図１
2018201171.tif 000002
【特許請求の範囲】
【請求項１】
無線通信を行う通信部と、
コントローラと、を備え、
前記コントローラは、
自機のユーザの自宅に備えられた通信装置の第１識別子を、前記通信部によって取得すると、前記ユーザが帰宅したと特定する、
電子機器。
【請求項２】
前記コントローラは、
前記ユーザが帰宅したと特定すると、前記ユーザが帰宅したことを前記通信部によって所定の他の電子機器に通知する、
請求項１に記載の電子機器。
【請求項３】
前記コントローラは、
前記ユーザが帰宅したと特定し、かつ前記所定の他の電子機器が前記ユーザの自宅に存在すると特定しないと、前記ユーザが帰宅したことを前記通信部によって前記所定の他の電子機器に通知する、
請求項２に記載の電子機器。
【請求項４】
前記コントローラは、
前記所定の他の電子機器の第２識別子を前記通信部によって取得すると、前記所定の他の電子機器が前記ユーザの自宅に存在すると特定する、
請求項３に記載の電子機器。
【請求項５】
スピーカをさらに備え、
前記コントローラは、
前記ユーザが帰宅したと特定すると、所定の他の電子機器からの通話要求を前記通信部によって受信したことを知らせる音に関する設定を、前記スピーカに前記音を出力させる出力モードに設定する、
請求項１から４のいずれか一項に記載の電子機器。
【請求項６】
スピーカをさらに備え、
前記コントローラは、
前記ユーザが帰宅したと特定すると、通話要求に対する応答設定を、所定の他の電子機器からの通話要求に対し自動的に応答して通話を開始する自動応答モードに設定し、通話中の音に関する設定を、通話中の音声を前記スピーカに出力させるスピーカモードに設定する、
請求項１から４のいずれか一項に記載の電子機器。
【請求項７】
前記コントローラは、
前記通信装置からの電波を前記通信部によって受信し、
前記第１識別子を取得し、かつ前記電波の受信強度が所定の値よりも大きいと判定すると、前記ユーザが帰宅したと特定する、
請求項１から６のいずれか一項に記載の電子機器。
【請求項８】
自機の動きを検出するセンサを備え、
前記コントローラは、
前記第１識別子を前記通信部によって取得し、かつ前記センサが検出した前記自機の動きに基づいて前記自機が前記ユーザに所持されずに置かれていると判定すると、前記ユーザが帰宅したと特定する、
請求項１から７のいずれか一項に記載の電子機器。
【請求項９】
前記コントローラは、
前記第１識別子を前記通信部によって取得した後、前記自機と前記通信装置との間で通信の接続が確立されると、前記ユーザが帰宅したと特定する、
請求項１から８のいずれか一項に記載の電子機器。
【請求項１０】
前記自機の位置に関する位置情報を取得する位置情報取得部を備え、
前記コントローラは、
前記位置情報取得部が取得した前記位置情報に基づいて、前記自機が前記ユーザの自宅から所定の範囲内に存在するか否かを判定し、
前記自機が前記所定の範囲内に存在すると判定すると、前記通信部によって通信装置をスキャンする、
請求項１から９のいずれか一項に記載の電子機器。
【請求項１１】
前記自機の位置に関する位置情報を取得する位置情報取得部を備え、
前記コントローラは、
前記位置情報取得部が取得した前記位置情報に基づいて、前記自機が自宅とは異なる所定の場所を含む所定の範囲内から範囲外に移動したか否かを判定し、
前記自機が前記所定の範囲内から範囲外に移動したと判定すると、前記ユーザが帰宅を開始したと特定する、
請求項１から１０のいずれか一項に記載の電子機器。
【請求項１２】
前記コントローラは、
前記自宅とは異なる所定の場所に備えられた通信装置の第３識別子を前記通信部によって取得した後、前記第３識別子を取得しなくなると、前記ユーザが帰宅を開始したと特定する、
請求項１から９のいずれか一項に記載の電子機器。
【請求項１３】
前記コントローラは、
前記ユーザが帰宅を開始したと特定すると、前記所定の他の電子機器に帰宅を開始したことを通信部によって通知する、
請求項１１または１２に記載の電子機器。
【請求項１４】
前記コントローラは、
前記ユーザが帰宅を開始したと特定してから所定の時間が経過し、かつ前記ユーザが帰宅したと特定しないと、前記所定の他の電子機器に前記ユーザの帰宅が遅れていることを前記通信部によって通知する、
請求項１３に記載の電子機器。
【請求項１５】
電子機器と、前記電子機器のユーザの自宅に備えられた通信装置とが無線通信で互いに通信を行う通信システムであって、
前記通信装置は、当該通信装置の第１識別子を送信し、
前記電子機器は、前記第１識別子を取得すると、前記ユーザが帰宅したと特定する、
通信システム。
【請求項１６】
電子機器が実行する情報処理方法であって、
自機のユーザの自宅に備えられた通信装置の第１識別子を取得すると、前記ユーザが帰宅したと特定する、
情報処理方法。
【発明の詳細な説明】
【技術分野】
【０００１】
本開示は、電子機器、通信システム、および情報処理方法に関する。
【背景技術】
【０００２】
従来、自機の位置を判定する電子機器が知られている。例えば、特許文献１には、自機の位置情報をＧＰＳ（Global Positioning System）衛星から受信する電子機器が開示されている。
【先行技術文献】
【特許文献】
【０００３】
【特許文献１】特開２０１０−２５９０７６号公報
【発明の概要】
【発明が解決しようとする課題】
【０００４】
電子機器の位置を判定する技術の利便性の向上が望まれている。
【０００５】
本開示の目的は、電子機器の位置を判定する技術の利便性を向上させる電子機器、通信システム、および情報処理方法を提供することにある。
【課題を解決するための手段】
【０００６】
本開示の一実施形態に係る電子機器は、無線通信を行う通信部と、コントローラと、を備える。前記コントローラは、自機のユーザの自宅に備えられた通信装置の第１識別子を、前記通信部によって取得すると、前記ユーザが帰宅したと特定する。
【０００７】
本開示の一実施形態に係る通信システムは、電子機器と前記電子機器のユーザの自宅に備えられた通信装置とが無線通信で互いに通信を行う。前記通信装置は、当該通信装置を識別するための第１識別子を送信する。前記電子機器は、無線通信を行う通信部と、コントローラと、を備える。前記コントローラは、自機のユーザの自宅に備えられた通信装置の第１識別子を、前記通信部によって取得すると、前記ユーザが帰宅したと特定する。
【０００８】
本開示の一実施形態に係る情報処理方法は、電子機器が実行する情報処理方法である。前記電子機器は、自機のユーザの自宅に備えられた通信装置の第１識別子を取得すると、前記ユーザが帰宅したと特定する。
【発明の効果】
【０００９】
本開示の一実施形態に係る電子機器、通信システム、および情報処理方法によれば、電子機器の位置を判定する技術の利便性が向上される。
【図面の簡単な説明】
【００１０】
【図１】本開示の一実施形態に係る通信システムの概略図である。
【図２】図１に示す電子機器の外観図である。
【図３】図２に示す電子機器の利用イメージを示す図である。
【図４】図２に示す電子機器の他の利用イメージを示す図である。
【図５】図２に示す電子機器の動作を示すフローチャートである。
【図６】図２に示す電子機器の他の動作を示すフローチャートである。
【図７】図２に示す電子機器の変形例の外観図である。
【発明を実施するための形態】
【００１１】
上述のように、従来の電子機器は、ＧＰＳ衛星から受信した情報に基づいて当該電子機器の位置を判定している。この技術を用いて、子供が所持する電子機器は、当該電子機器の位置を判定し得る。さらに、電子機器は、当該電子機器の位置を親が所持する電子機器に通知し得る。電子機器は子供が所持するため、電子機器の位置は子供の存在する位置に相当し得る。そのため、親は自身が所持する電子機器への通知によって子供の存在する位置を認識することができる。しかし、ＧＰＳ衛星から受信した情報に基づく電子機器の位置の判定は必ずしも望ましくはない。例えば、ＧＰＳ衛星による位置の判定の精度は十分でないことがある。したがって、位置の判定の精度の観点からより利便性の高い電子機器が望まれている。特に、子供が自宅に帰宅したことを正確に認識したいという親のニーズが高まっている。例えば、ＧＰＳ衛星による位置の判定においては、電子機器は、常にＧＰＳ衛星からの情報を受信する必要がある。そのため、ＧＰＳ衛星による位置の判定においては、電子機器の電力消費が大きい。したがって、位置の判定に伴う電力消費の観点からより利便性の高い電子機器が望まれている。
【００１２】
以下、本開示の実施形態について、図面を参照して説明する。
【００１３】
図１を参照して、本実施形態に係る電子機器２を備える通信システム１００について説明する。通信システム１００は、通信装置１と電子機器２とを備える。電子機器２は、ユーザによって所持される。電子機器２は、ユーザの自宅に備えられた通信装置１、他の電子機器４、および自宅とは異なる場所に備えられた通信装置５それぞれと通信可能である。
【００１４】
通信装置１は、アクセスポイントとして機能する装置である。具体的には、通信装置１は、無線ＬＡＮ（Local Area Network）の規格を用いた近距離の無線通信を行う。無線ＬＡＮの規格は、例えば、ＷｉＦｉ（登録商標）規格を含んでよい。通信装置１は、自装置の識別子を示す信号を含む電波を送信する。通信装置１の識別子は、例えば、通信装置１のＳＳＩＤ（Service Set Identifier）およびＭＡＣ（Media Access Control）アドレス等を含んでよい。以下、通信装置１の識別子を、第１識別子ともいう。第１識別子を示す信号は、例えばビーコン信号を含んでよい。
【００１５】
電子機器２は、通信装置１と通信可能な任意の機器であってよい。電子機器２は、例えば、図２に示すような携帯電話であってよい。電子機器２は、例えば、フィーチャーフォンタイプの携帯電話であってよい。電子機器２は、例えばスマートフォン、またはタブレット等であってよい。電子機器２のユーザは、任意のユーザであってよい。電子機器２のユーザは、例えば子供であってよい。電子機器２の詳細については後述する。
【００１６】
他の電子機器４は、通信装置１と通信可能な任意の機器であってよい。他の電子機器４は、例えば、電子機器２と同様に、図２に示すような携帯電話であってよい。電子機器２は、例えば、フィーチャーフォンタイプの携帯電話であってよい。電子機器２は、例えばスマートフォン、またはタブレット等であってよい。他の電子機器４のユーザは、任意のユーザであってよい。他の電子機器４のユーザは、例えば、電子機器２のユーザの親であってよい。他の電子機器４は、自機器の識別子を示す信号を含む電波を送信する。他の電子機器４の識別子は、例えば、通信装置５のＳＳＩＤおよびＭＡＣアドレス等を含んでよい。以下、他の電子機器４の識別子を、第２識別子ともいう。第２識別子を示す信号は、例えばビーコン信号を含んでよい。
【００１７】
通信装置５は、アクセスポイントとして機能する装置である。通信装置５は、自宅とは異なる所定の場所に設置される。自宅とは異なる所定の場所を特定場所ともいう。特定場所は、例えば、電子機器２のユーザが存在することの多い任意の場所である。特定場所は、例えば、電子機器２のユーザが通う学校、塾等である。通信装置５は、自装置の識別子を示す信号を含む電波を送信する。通信装置５の識別子は、例えば、通信装置５のＳＳＩＤおよびＭＡＣアドレス等を含んでよい。以下、第５通信装置の識別子を、第３識別子ともいう。第３識別子を示す信号は、例えばビーコン信号を含んでよい。
【００１８】
電子機器２のユーザは、シニア層の人物であってよい。他の電子機器４のユーザは、電子機器２のユーザの子供であってよい。この場合、特定場所は、例えば、シニア層の人物が通う病院、趣味の教室等としてよい。
【００１９】
図１を参照して、電子機器２について詳細に説明する。電子機器２は、ディスプレイ２２と、入力部２３と、スピーカ２４と、レシーバ２５と、マイク２６と、バイブレータ２７と、センサ部２８と、通信部２９と、コントローラ３０と、メモリ３１とを備える。
【００２０】
ディスプレイ２２は、液晶ディスプレイ（Liquid Crystal Display）、有機ＥＬパネル（Organic Electro-Luminescence Panel）、または無機ＥＬパネル（Inorganic Electro-Luminescence Panel）等の表示デバイスを備えてよい。ディスプレイ２２は、文字、画像、記号、または図形等を表示してよい。ディスプレイ２２において表示を行うために必要な情報は、後述するコントローラ３０から出力され得る。
【００２１】
入力部２３は、ユーザが電子機器２を操作すると該操作を検出してよい。入力部２３は、操作を検出すると検出信号をコントローラ３０に出力してよい。入力部２３は、例えば、物理キー、およびタッチパネル等を含んでよい。物理キーは、例えば、センターキー、方向キー、通話キー、およびファンクションキー等を含んでよい。物理キーは、押しボタン式の自動復帰型スイッチ等を含んでよい。タッチパネルは、指、またはスタイラスペン等が該タッチパネルに接触した位置を検出する。タッチパネルの検出方式は、任意の方式としてよい。例えば、タッチパネルの検出方式として、静電容量方式、抵抗膜方式、表面弾性波方式、赤外線方式、電磁誘導方式、または荷重検出方式等が採用され得る。
【００２２】
スピーカ２４は、コントローラ３０の制御に基づいて音を出力可能である。スピーカ２４は、後述するレシーバ２５よりも大きな音量で音を出力可能である。例えば、スピーカ２４は、通話要求を受信したことを知らせる音を出力可能である。スピーカ２４は、音声通話中に通話相手の音声を出力可能である。
【００２３】
レシーバ２５は、コントローラ３０の制御に基づいて音を出力可能である。例えば、レシーバ２５は、音声通話中に通話相手の音声を出力可能である。
【００２４】
マイク２６は、コントローラ３０の制御に基づいて、周囲で発生した音を取得可能である。周囲で発生した音はユーザから発生された音声を含む。マイク２６は、取得した音を示す音信号をコントローラ３０に出力する。
【００２５】
バイブレータ２７は、コントローラ３０の制御に基づいて振動可能である。例えば、バイブレータ２７は、通話要求が通信部２９によって受信されたときに振動する。バイブレータ２７は該振動によって通話要求があることをユーザに対して報知する。バイブレータ２７は、例えば、偏心モータ、圧電素子、またはリニアバイブレータ等を含んでよい。
【００２６】
センサ部２８は、電子機器２の動きを検出可能である１つ以上のセンサを含む。例えば、センサ部２８は、加速度センサ２８１と、ＧＰＳセンサ２８２とを含んでよい。電子機器２の動きは、例えば、加速度の方向および大きさ、ならびに位置を含んでよい。
【００２７】
加速度センサ２８１は、該電子機器２の加速度の方向および大きさを検出可能である。加速度センサ２８１は、２軸または３軸の加速度センサであってよい。加速度センサ２８１は、例えばピエゾ抵抗型センサ、静電容量型センサ、ＭＥＭＳ（Micro Electro Mechanical Systems）式センササーボ式センサ、または歪ゲージ式センサ等であってよい。
【００２８】
ＧＰＳセンサ２８２は、電子機器２の位置に関する位置情報を取得する。以下、ＧＰＳセンサ２８２を、位置情報取得部ともいう。ＧＰＳセンサ２８２は、例えば、ＧＰＳ受信機である。ＧＰＳセンサ２８２は、ＧＰＳ衛星から受信する信号に基づき、電子機器２の位置を示す位置情報を取得する。位置情報は、例えば、緯度、経度を含んでよい。
【００２９】
センサ部２８が検出可能な電子機器２の動きは、上述した例に限られない。例えば、電子機器２の動きは、電子機器２の移動速度を含んでよい。加速度センサ２８１およびＧＰＳセンサ２８２の少なくとも１つが移動速度を検出してよい。センサ部２８は、速度センサを含んでよい。速度センサは移動速度を検出する。
【００３０】
通信部２９は、外部装置と通信可能な通信インタフェースを含んでよい。通信インタフェースは、任意の通信規格に対応する通信モジュールを含んでよい。例えば、通信インタフェースは、近距離無線通信の規格に対応する無線通信モジュール、および遠距離無線通信の規格に対応する無線通信モジュールを含んでよい。近距離無線通信は、例えば、無線ＬＡＮ、Ｂｌｕｅｔｏｏｔｈ（登録商標）、ＩｒＤＡ（Infrared Data Association）、およびＮＦＣ（Near Field radio Communication）等を含んでよい。遠距離無線通信は、例えば、２Ｇ（2nd Generation）、３Ｇ（3rd Generation）、４Ｇ（4th Generation）、ＬＴＥ（Long Term Evolution）、ＷｉＭＡＸ（Worldwide Interoperability for Microwave Access）、およびＰＨＳ（Personal Handy-phone System）等を含んでよい。
【００３１】
通信部２９は、近距離無線通信の規格を用いて電波を送信することによって、通信装置１および通信装置５それぞれと近距離の無線通信を行ってよい。
【００３２】
通信部２９は、遠距離無線通信の規格を用いて、他の電子機器４と遠距離の無線通信を行ってよい。例えば、通信部２９は、遠距離無線通信の規格を用いて他の電子機器４から通話要求を受信してよい。後述するように、電子機器２が当該通話要求に応答すると、電子機器２と他の電子機器４との間で通話が開始される。通信部２９は、他の電子機器４と近距離の無線通信規格を用いて無線通信を行ってよい。
【００３３】
コントローラ３０は、例えば、ＣＰＵ（Central Processing Unit）である。コントローラ３０は、通信ユニット等の他の構成要素が統合されたＳｏＣ（System-on-a-Chip）等の集積回路であってよい。コントローラ３０は、複数の集積回路を組み合わせて構成されていてよい。コントローラ３０は、電子機器２の各機能部を制御するとともに、電子機器２の動作を統括的に制御して各種の機能を実現する。本実施形態におけるコントローラ３０の動作は、追って詳細に説明される。
【００３４】
メモリ３１は、プログラムおよび情報を記憶してよい。メモリ３１は、コントローラ３０の処理結果を一時的に記憶する作業領域としても利用され得る。メモリ３１は、半導体記憶デバイス、および磁気記憶デバイス等の任意の記憶デバイスを含んでよい。メモリ３１は、複数の種類の記憶デバイスを含んでよい。メモリ３１は、メモリカード等の可搬の記憶媒体と、記憶媒体の読み取り装置との組み合わせを含んでよい。
【００３５】
具体的には、メモリ３１は、例えば、制御プログラムと、帰宅特定プログラムとを記憶する。制御プログラムおよび帰宅特定プログラムは、通信部２９による無線通信または記憶媒体を介してメモリ３１にインストールされてよい。メモリ３１は、予めユーザの操作に基づき、第１識別子、第２識別子、および第３識別子を記憶する。メモリ３１は、ユーザの帰宅に関する情報を通知する宛先を記憶する。帰宅に関する情報は、例えば、ユーザが帰宅したことを示す情報、ユーザの帰宅が近いことを示す情報、ユーザが帰宅を開始したことを示す情報、およびユーザの帰宅が遅延していることを示す情報の少なくとも１つを含む。宛先は、例えば、他の電子機器４の宛先のメールアドレス、またはユーザＩＤ等を含む。
【００３６】
制御プログラムは、電子機器２に各種機能を実行させるためのプログラムである。コントローラ３０が制御プログラムに従って、例えば、各機能部を制御することによって各種機能を実行する。
【００３７】
帰宅特定プログラムは、コントローラ３０が、帰宅に関する情報を決定し、当該情報を通知するためのプログラムである。ここで、コントローラ３０が帰宅特定プログラムに従って実行する事前設定、帰宅特定、帰宅通知、音設定、および通話要求に対する応答設定について詳細に説明する。帰宅特定は、ユーザが帰宅したことを特定する帰宅完了特定と、ユーザが帰宅を開始したことを特定する帰宅開始特定と、ユーザの帰宅が近いことの特定と、帰宅が遅延していることを特定する帰宅遅延特定とを含む。帰宅通知は、ユーザが帰宅したことを通知する帰宅完了通知と、ユーザが帰宅を開始したことを通知する帰宅開始通知と、ユーザの帰宅が近いことの通知と、ユーザの帰宅が遅延していることを通知する帰宅遅延通知とを含む。
【００３８】
＜事前設定＞
コントローラ３０は、帰宅特定を開始するのに先だって、ユーザの操作に基づいて事前設定を行う。具体的には、コントローラ３０は、第１識別子、第２識別子、および第３識別子をメモリ３１に記憶させる。コントローラ３０は、ユーザの帰宅に関する情報を送信する宛先をメモリ３１に記憶させる。宛先は、例えば、電子機器２のユーザの親が所持する所定の他の電子機器４のメールアドレスである。コントローラ３０は、所定の発信元識別情報をメモリ３１に記憶させる。発信元識別情報は、例えば、電子機器２が受信する通話要求の発信元である装置またはユーザを識別可能な情報である。例えば、発信元識別情報は、通話要求の発信元の電話番号およびユーザＩＤ等を含む。所定の発信元識別情報は、例えば、他の電子機器４の発信元識別情報である。コントローラ３０は、自宅位置情報をメモリ３１に記憶させる。自宅位置情報はユーザの自宅の位置を示す情報である。
【００３９】
コントローラ３０は、自宅とは異なる所定の場所である特定場所を示す特定場所情報をメモリ３１に記憶させる。特定場所情報は、例えば、通信装置５が設置された場所の位置を示す情報である。コントローラ３０は、所定時間をメモリ３１に記憶させる。所定時間は、例えば、通信装置５が設置された場所を出てから自宅に到着するまでに要すると見込まれる時間である。
【００４０】
＜帰宅完了特定＞
コントローラ３０は、自機のユーザの自宅に備えられた通信装置１の第１識別子を、通信部２９によって取得すると、ユーザが帰宅したと特定する。
【００４１】
具体的には、コントローラ３０は、通信デバイスを通信部２９によってスキャンする。通信デバイスは、例えば無線ＬＡＮの通信規格に従って、自デバイスの識別子を示す信号を含む電波を送信する装置である。「スキャン」は、通信デバイスによって送信されて電子機器２の周囲に到達する電波を受信することによって、当該通信デバイスを認識することである。
【００４２】
コントローラ３０は、通信部２９がスキャンを行って、通信デバイスから近距離の無線通信で送信された電波を受信すると、当該電波に含まれる信号が示す、通信デバイスの識別子を取得する。以下、取得された通信デバイスの識別子を、取得識別子ともいう。コントローラ３０は、取得識別子が、メモリ３１に記憶されている第１識別子と同一であるか否かを判定する。コントローラ３０は、取得識別子が第１識別子と同一であると判定すると、電子機器２のユーザが帰宅したと特定する。コントローラ３０は、第１識別子を取得しないと、電子機器２のユーザが帰宅していないと特定する。
【００４３】
電子機器２がユーザの自宅内または自宅の周辺に存在する場合、ユーザの自宅に備えられている通信装置１の電波は、電子機器２に到達する蓋然性が高い。このため、電子機器２が第１識別子を取得することは、電子機器２が自宅内または自宅の周辺に位置することに相当し得る。電子機器２の位置は、電子機器２を所持するユーザの位置に相当し得る。したがって、電子機器２は、第１識別子を取得することによって、該電子機器２を所持するユーザが帰宅したと特定可能である。
【００４４】
コントローラ３０は、通信装置１からの電波を受信し、第１識別子を取得し、かつ電波の受信強度が第１所定値よりも大きいと判定すると、自機のユーザが帰宅したと特定してよい。具体的には、コントローラ３０は、取得識別子が第１識別子と同一であるか否か判定する。さらに、コントローラ３０は、当該取得識別子を示す電波の受信強度が第１所定値以上であるか否かを判定する。コントローラ３０は、取得識別子が第１識別子と同一であって、電波強度が第１所定値以上であると、ユーザが帰宅したと特定する。コントローラ３０は、第１識別子を取得しないと、または電波の受信強度が第１所定値未満であると、ユーザが帰宅していないと特定する。第１所定値は、任意に定められてよい。例えば、第１所定値は、電子機器２が自宅内にあるときに受信することが見込まれる電波の最低強度であってよい。電子機器２は、ＧＰＳ受信機を用いた場合に比べて、自宅に備えられた通信装置１の第１識別子を取得することによって高い精度で該電子機器２が自宅に存在することを特定することができる。したがって、電子機器２によって該電子機器２のユーザが帰宅したと特定する精度が向上する。
【００４５】
コントローラ３０は、第１識別子を通信部２９によって取得し、かつセンサ部２８が検出した自機の動きに基づいて、電子機器２がユーザに所持されずに置かれていると判定すると、自機のユーザが帰宅したと特定してよい。具体的には、コントローラ３０は、取得識別子が第１識別子と同一であるか否か判定する。コントローラ３０は、加速度センサ２８１によって電子機器２の加速度を検出する。コントローラ３０は、加速度センサ２８１によって検出された加速度が第２所定値以下であるか否かを判定する。第２所定値は、任意に定められてよい。例えば、第２所定値は、電子機器２が静止していると実用上判断可能な加速度の最大値であってよい。コントローラ３０は、加速度が第２所定値以下であると、電子機器２がユーザに所持されずに置かれていると判定する。コントローラ３０は、取得識別子が第１識別子と同一であって、電子機器２がユーザに所持されずに置かれていると判定すると、ユーザが帰宅したと特定する。一方、コントローラ３０は、第１識別子を取得しないと、または電子機器２がユーザに所持されずに置かれていると判定しないと、ユーザが帰宅していなかったと特定する。
【００４６】
電子機器２のユーザは、帰宅すると、該電子機器２を自宅内のいずれかの場所に置いておくことが多いと考えられる。そのため、コントローラ３０が、センサ部２８によって電子機器２の動きを検出し、当該動きに基づいて電子機器２が置かれていると判定する場合、ユーザが自宅にいる確度が高いと見込まれる。したがって、電子機器２によって該電子機器２のユーザが帰宅したと特定する精度が向上する。
【００４７】
コントローラ３０は、第１識別子を通信部２９によって取得した後、自機と通信装置１との間で通信の接続が確立されると、ユーザが帰宅したと特定してよい。コントローラ３０は、通信装置１から近距離の無線通信を用いて、通信部２９によって電波を受信する。コントローラ３０は、通信装置１から電波を受信すると、通信装置１との接続を確立するための手続きを行う。そして、当該手続が完了すると、電子機器２と通信装置１との接続が確立される。
【００４８】
コントローラ３０は、上述のように取得識別子が第１識別子と同一であると判定すると、当該取得識別子を示す電波を送信する通信装置１と接続が確立されたか否かを判定する。コントローラ３０は、当該通信装置１と接続が確立されたと判定すると、ユーザが帰宅したと特定する。コントローラ３０は、当該通信装置１と接続が確立されていないと判定すると、ユーザが帰宅していなかったと特定する。
【００４９】
ユーザが自宅周辺に存在し、かつ自宅内に存在しないとき、電子機器２は通信装置１から送信された第１識別子を取得することがある。この場合、第１識別子の情報を含む電波の受信強度は微弱であるために、通信部２９と通信装置１との通信の接続が確立できないことがある。第１識別子を通信部２９によって取得するだけでなく、通信部２９と通信装置１との通信の接続が確立されるためには、電子機器２は自宅内に存在していることが求められる。通信部２９と通信装置１との通信の接続が確立されると、ユーザが自宅内に存在する確度が高いと見込まれる。したがって、電子機器２によって該電子機器２のユーザが帰宅したと特定する精度が向上する。
【００５０】
コントローラ３０は、スキャンのみを実行してユーザが帰宅したか否かを判定してよい。すなわち、コントローラ３０は、第１識別子を取得した後、通信装置１との接続を確立するための手続きを行うことなく、ユーザが帰宅したと判定してよい。この場合、ユーザは、事前に電子機器２を、通信機器１との接続を確立するための手続きを行わせるモードに設定しておく、または電子機器２に対して、通信機器１との接続を確立するための手続きを行わせるための操作を行う、といった必要がない。したがって、より簡単に電子機器２によって該電子機器２のユーザが帰宅したと特定することができる。ただし、電子機器２がこのように構成される場合、上述のように、第１識別子の情報を含む電波の受信強度が微弱になり得る。よって、コントローラ３０は、通信装置１との接続を確立するための手続きを行うことなく、第１識別子を取得し、かつセンサ部２８が検出した自機の動きに基づいて、電子機器２がユーザに所持されずに置かれていると判定すると、自機のユーザが帰宅したと特定してよい。これにより、簡単に電子機器２によって該電子機器２のユーザが帰宅したと特定することができつつ、電子機器２によって該電子機器２のユーザが帰宅したと特定する精度が向上する。
【００５１】
コントローラ３０は、自機がユーザの自宅から所定の範囲内に存在すると判定すると、通信部２９によって通信デバイスをスキャンしてよい。具体的には、コントローラ３０は、ＧＰＳセンサ２８２によって電子機器２の位置を示す位置情報を取得する。コントローラ３０は、ＧＰＳセンサ２８２が取得した位置情報によって示される位置が、メモリ３１に記憶されている自宅位置情報が示す位置から所定の範囲内であるか否かを判定する。所定の範囲は、任意に定められてよい。コントローラ３０は、ＧＰＳセンサ２８２が取得した位置情報によって示される位置が所定の範囲内であると判定されると、自機がユーザの自宅から所定の範囲内に存在すると判定する。
【００５２】
コントローラ３０は、自機がユーザの自宅から所定の範囲内に存在すると特定すると、通信部２９よって通信デバイスをスキャンする。コントローラ３０は、例えばユーザが帰宅したと特定するまで、通信デバイスのスキャンを繰り返し実行してよい。一方、コントローラ３０は、位置情報によって示される位置が所定の範囲内でないと判定されると、自機がユーザの自宅から所定の範囲内に存在しないと特定する。コントローラ３０は、自機がユーザの自宅から所定の範囲内に存在しないと特定すると、通信デバイスをスキャンしない。
【００５３】
このように、電子機器２は、自機が自宅から所定の範囲内に存在するときのみに通信装置１をスキャンする。このため、例えばスキャンを常時行う構成と比較して、電力の消費を軽減することができる。
【００５４】
＜帰宅完了通知＞
上述した帰宅完了特定によって、ユーザが帰宅したと特定された後に、電子機器２が実行する動作について説明する。コントローラ３０は、図３に示すように、ユーザが帰宅したと特定すると、ユーザが帰宅したことを通信部２９によって所定の他の電子機器４に通知する。当該通知は、任意の手段で行われてよい。例えば、当該通知は、ＳＭＳ（Short Message Service）または電子メールを介して行われてよい。具体的には、コントローラ３０は、メモリ３１に記憶されている宛先にユーザが帰宅したことを示す情報を、遠距離の通信規格を用いて送信する。
【００５５】
コントローラ３０は、自機のユーザが帰宅したと特定し、所定の他の電子機器４が電子機器２のユーザの自宅に存在しないと特定したとき、通信部２９によって所定の他の電子機器４にユーザが帰宅したことを通知してよい。この場合、コントローラ３０は、ユーザが自宅に帰宅したと特定し、かつ所定の他の電子機器４が自宅に存在すると特定したとき、所定の他の電子機器４にユーザが帰宅したことを通知しない。
【００５６】
具体的には、コントローラ３０は、所定の他の電子機器４の第２識別子を通信部２９によって取得すると、所定の他の電子機器４が自機のユーザの自宅に存在すると特定する。さらに具体的には、コントローラ３０は、上述の通信部２９によって取得した取得識別子が、メモリ３１に記憶されている第２識別子と同一であるか否かを判定する。コントローラ３０は、取得識別子が第２識別子と同一であると判定すると、所定の他の電子機器４が自機のユーザが自宅に存在すると特定する。
【００５７】
所定の他の電子機器４の第２識別子を通信部２９によって取得しないと、所定の他の電子機器４が自機のユーザの自宅に存在しないと特定する。さらに具体的には、コントローラ３０は、取得識別子が第２識別子と同一でないと判定すると、所定の他の電子機器４が自宅に存在しないと特定する。コントローラ３０は、第１識別子以外の取得識別子を取得しいと、所定の他の電子機器４が自宅に存在しないと特定する。
【００５８】
そして、コントローラ３０は、所定の他の電子機器４が自宅に存在しないと特定すると、ユーザが帰宅したことを所定の他の電子機器４に通知する。コントローラ３０は、所定の他の電子機器４が自宅に存在すると特定すると、ユーザが帰宅したことを所定の他の電子機器４に通知しない。所定の他の電子機器４のユーザである親が自宅にいる場合、通知によらずとも子供と直接対面することによって子供の帰宅を認識することができる。この場合、他の電子機器４に対して通知を行う必要性は低い。上述のように、電子機器２は、他の電子機器４が自宅に存在すると特定すると、所定の他の電子機器４へ通知しない。このため、所定の他の電子機器４のユーザである親が、電子機器２からの通知に対して必要のない注意を払わなければならない可能性を軽減できる。
【００５９】
＜音設定＞
コントローラ３０は、ユーザが帰宅したと特定すると、所定の他の電子機器４からの通話要求を通信部２９によって受信したことを知らせる音に関する設定を行ってよい。音に関する設定は出力モードと非出力モードとを含む。出力モードは、少なくとも他の電子機器４からの通話要求の受信を知らせる音をスピーカ２４に出力させるモードである。非出力モードは、スピーカ２４に音を出力させないモードである。非出力モードは、スピーカ２４に音を出力させず、かつバイブレータ２７を振動させないサイレントモードと、スピーカ２４に音を出力させずに、バイブレータ２７を振動させるバイブレーションモードとを含む。具体的には、コントローラ３０は、ユーザが帰宅したと特定すると、当該音に関する設定を出力モードに設定する。コントローラ３０は、当該音に関する設定を出力モードに設定した以降に所定の他の電子機器４から通話要求を受信すると、スピーカ２４に音を出力させる。
【００６０】
あるいは、コントローラ３０は、ユーザが帰宅したと特定した後に、所定の条件を満たす他の電子機器４から通話要求を受信すると、当該音に関する設定を出力モードに設定してよい。具体的には、コントローラ３０は、他の電子機器４が送信した通話要求に含まれる発信元識別情報がメモリ３１に記憶されている発信元識別情報であるか否かを判定する。コントローラ３０は、該通話要求に含まれる発信元識別情報がメモリ３１に記憶されている発信元識別情報であると判定すると、当該音に関する設定を出力モードに設定する。
【００６１】
したがって、電子機器２のユーザが操作によって出力モードに設定する手間を軽減することが可能になる。電子機器２のユーザが出力モードに設定し忘れることがある。この場合も、図４に示すように、コントローラ３０は、所定の他の電子機器４からの通話要求があったときにスピーカ２４に音を出力させる。そのため、ユーザが通話要求に気付く蓋然性が高い。したがって、例えば外出先にいる親がユーザに電話による連絡をとろうとしたときに、ユーザが当該電話に気付かないといった事態となる可能性を低減することができる。
【００６２】
コントローラ３０は、発信元識別情報がメモリ３１に記憶されている発信元識別情報と同一でないと判定すると、予めユーザの操作によって設定された出力モードまたは非出力モードを示す設定に基づき、スピーカ２４を制御する。同様にして、コントローラ３０は、ユーザが帰宅していなかったと特定すると、予めユーザの操作によって設定された出力モードまたは非出力モードを示す設定に基づき、スピーカ２４を制御する。
【００６３】
上述において、コントローラ３０は、ユーザが帰宅したと特定すると、スピーカ２４に音を出力させる出力モードを設定するとしたが、これに限られない。例えば、コントローラ３０は、ユーザが帰宅したと特定すると、予めユーザの操作によって設定された出力モードまたは非出力モードを示す設定を変更しなくてよい。この場合、コントローラ３０は、所定の他の電子機器４からの通話要求があったときに当該設定によらずスピーカ２４に音を出力させる。
【００６４】
＜通話要求に対する応答設定＞
コントローラ３０は、ユーザが帰宅したと特定すると、通話要求に対する応答設定を設定する。応答設定は、自動応答モードと操作応答モードとを含む。自動応答モードは、通話要求に対し自動的に応答して通話を開始するモードである。操作応答モードは、ユーザによって所定の操作がなされると、コントローラ３０が通話要求に応答して通話を開始するモードである。所定の操作は、例えば、通話ボタンの押下である。具体的には、コントローラ３０は、ユーザが帰宅したと特定すると、応答設定を自動応答モードに設定する。
【００６５】
コントローラ３０は、応答設定を自動応答モードに設定すると、通話中の音に関する設定を行う。通話中の音に関する設定はレシーバモードとスピーカモードとを含む。スピーカモードは、通話要求に応答した後の通話状態において、発信元からの通話音声をスピーカ２４に出力させるモードである。レシーバモードは、通話中の音声をレシーバ２５に出力させるモードである。具体的には、コントローラ３０は、応答設定を自動応答モードに設定すると、通話中の音に関する設定をスピーカモードに設定する。
【００６６】
このため、ユーザが自宅にいるとき、仮に該ユーザが通話要求に気付かなくても、電子機器２は、所定の他の電子機器４との通話状態となることができる。電子機器２は、通話中の音に関する設定を、通話中の音声をスピーカ２４に出力させるスピーカモードに設定するため、通話状態となった後に、所定の他の電子機器４からの通話による音声を、電子機器２から離れているユーザに聞かせることができる。したがって、例えば、所定の他の電子機器４のユーザである親の声に基づく音声がスピーカ２４から出力され、ユーザが親から電話による連絡があったことを認識する可能性を高めることができる。
【００６７】
コントローラ３０は、スピーカモードでの通話状態を開始すると、マイク２６からコントローラ３０に出力された音信号が示す音量に基づいて、スピーカ２４に出力させる音の音量を制御してよい。具体的には、コントローラ３０は、マイク２６が取得した音の音量が小さいほど、スピーカ２４に出力させる音の音量を大きくする。例えば、マイク２６が取得する、電子機器２のユーザである子供の音声が小さい場合、当該子供は電子機器２から離れた場所にいることが想定される。この場合、コントローラ３０がスピーカ２４から出力させる音声を大きくすることで、電子機器２から離れた場所にいる子供は音声を聞きやすくなる。
【００６８】
通話中の音に関する設定は録音モードを含んでよい。コントローラ３０は、通話要求に対する応答設定を録音モードにしてよい。録音モードは、コントローラ３０が、通話要求が受信されてから所定の時間が経過するまでに、ユーザによる応答のための操作がされないと、発信元からの音声を録音するモードである。通話要求が受信されてからの所定の時間は、例えば、１０秒である。コントローラ３０は、音声の録音を終了した以降、ユーザが電子機器２に対する任意の操作を行うまで、録音された音声を定期的に再生してよい。例えば、コントローラ３０は、録音された音声を３分おきに再生する。コントローラ３０は、再生された音声をスピーカ２４に出力させてよい。
【００６９】
コントローラ３０は、応答設定が自動応答モードである場合、通話状態の開始から所定の時間が経過してもマイク２６が音を取得しないと、発信元からの音声を録音してよい。コントローラ３０は音声の録音を開始する前に、当該録音を開始することを発信元である他の電子機器４に通知する。
【００７０】
＜帰宅が近いことの特定＞
コントローラ３０は、ＧＰＳセンサ２８２によって取得された位置情報の示す位置が、自機が自宅から所定の範囲内に存在すると判定すると、ユーザの帰宅が近いと特定してよい。このとき、コントローラ３０は、移動速度、および自機の位置と自宅との距離に基づいて、ユーザの予想帰宅時刻を算出してよい。例えば、コントローラ３０は、予想帰宅時刻を他の電子機器４に送信してよい。所定の範囲は、任意に定められてよい。所定の範囲は、例えば、ユーザの自宅から電子機器５の設置位置までの時間距離よりも短い時間距離の範囲であってよい。
【００７１】
＜帰宅が近いことの通知＞
コントローラ３０は、ユーザの帰宅が近づいていると特定すると、他の電子機器４に、ユーザの帰宅が近づいていることを通知してよい。コントローラ３０によってユーザの帰宅が近いことが通知されることによって、他の電子機器４のユーザである親は、子供がもうすぐ帰宅すると知ることができる。
【００７２】
＜帰宅開始特定＞
コントローラ３０は、自機のユーザが帰宅を開始したことを特定する。
【００７３】
（取得識別子に基づく帰宅開始特定）
コントローラ３０は、通信装置５の第３識別子を通信部２９によって取得した後、第３識別子を取得しなくなると、自機のユーザが帰宅を開始したと特定してよい。通信装置５は、上述のように、自宅とは異なる所定の場所に備えられる。
【００７４】
具体的には、コントローラ３０は、所定の時間間隔で通信部２９に通信デバイスをスキャンさせる。コントローラ３０は、通信部２９によるスキャンで通信デバイスから送信された電波を受信すると、当該電波が示す取得識別子が第３識別子と同一であるか否かを判定する。コントローラ３０は、取得識別子が第３識別子と同一であると判定すると、電子機器２のユーザが自宅とは異なる所定の場所に存在すると特定する。
【００７５】
通信装置５から送信された電波は、通信装置５の設置場所から所定範囲内に到達する。電子機器２は、通信装置５の設置場所から所定範囲内に存在する場合、通信装置５の電波を受信し得る。一方、電子機器２は、通信装置５の設置場所から所定範囲外に存在する場合、通信装置５の電波を受信できない。したがって、電子機器２が第３識別子を取得した後に第３識別子を取得しなくなることによって、ユーザが通信装置５の設置場所を含む所定範囲内から範囲外に移動したと判定可能である。電子機器２が通信装置５の設置場所を含む所定範囲内から範囲外に移動したことは、通信装置５の設置場所からの帰宅をユーザが開始したことに相当し得る。したがって、電子機器２が通信装置５の設置場所を含む所定範囲内から範囲外に移動したことによって、ユーザが帰宅を開始したと特定可能である。
【００７６】
コントローラ３０は、第３識別子を取得すると、当該取得識別子を示す電波の受信強度が第１所定値以上であるか否かを判定してよい。この場合、コントローラ３０は、電波受信強度が第１所定値以上であると、ユーザが所定の場所にいると特定する。コントローラ３０は、電波の受信強度が第１所定値未満であると判定すると、ユーザが所定の場所にいないと特定する。
【００７７】
コントローラ３０は、電子機器２のユーザが所定の場所にいると特定した後に、通信部２９によるスキャンで電波を受信しなくなると、ユーザが所定の場所から帰宅を開始したと特定する。コントローラ３０は、取得識別子が第３識別子と同一ではなくなると、ユーザが所定の場所から帰宅を開始したと特定する。
【００７８】
＜帰宅開始通知＞
コントローラ３０は、自機のユーザが帰宅を開始したと特定すると、所定の他の電子機器４に帰宅を開始したことを通信部２９によって通知してよい。具体的には、コントローラ３０は、ユーザが帰宅を開始したことを特定すると、メモリ３１に記憶されている所定の宛先にユーザが所定の場所から帰宅を開始したことを示す情報を、遠距離の無線通信規格を用いて送信する。
【００７９】
（位置情報に基づく帰宅開始特定）
コントローラ３０は、位置情報取得部が取得した位置情報に基づいて、自機が自宅とは異なる所定の場所から所定の範囲内に存在するか否かを判定してよい。コントローラ３０は、自機が所定の範囲内から範囲外に移動したと判定すると、自機のユーザが帰宅を開始したと特定する。
【００８０】
具体的には、コントローラ３０は、ＧＰＳセンサ２８２が取得した位置情報によって示される位置が所定の範囲内にあるか否かを判定する。コントローラ３０は、ＧＰＳセンサ２８２が取得した位置情報が示す位置が所定の範囲内にあると判定された後に、ＧＰＳセンサ２８２がふたたび取得した位置情報の示す位置が所定の範囲外にあると判定されると、当該電子機器２のユーザが帰宅を開始したと特定する。
【００８１】
＜帰宅遅延特定＞
コントローラ３０は、自機のユーザが帰宅を開始したと特定してから所定の時間が経過し、かつ自機のユーザが帰宅したと特定しないと、所定の他の電子機器４に自機のユーザの帰宅が遅れていることを通信部２９によって通知してよい。具体的には、コントローラ３０は、ユーザが帰宅を開始してから所定の時間が経過したか判定する。コントローラ３０は、帰宅開始から所定の時間が経過したと判定すると、上述の帰宅完了特定によってユーザが帰宅したと特定したか否かを判定する。コントローラ３０は、ユーザが帰宅を開始したことを特定した以降、所定の時間が経過するまでに、ユーザが帰宅したと特定されなかったと判定すると、ユーザの帰宅が遅延していると特定する。
【００８２】
＜帰宅遅延通知＞
コントローラ３０は、ユーザの帰宅が遅延していると特定すると、メモリ３１に記憶されている所定の宛先にユーザの帰宅が遅れていることを示す情報を、遠距離の無線通信規格を用いて送信する。
【００８３】
図５を参照して、本実施形態に係る電子機器２の動作の一例について説明する。電子機器２は、所定の時間間隔で動作を開始する。
【００８４】
ステップＳ１１：コントローラ３０は、通信デバイスを通信部２９によってスキャンする。
【００８５】
ステップＳ１２：コントローラ３０は、第１識別子を通信部２９によって取得したか否かを判定する。第１識別子が通信部２９によって取得されたと判定されると（ステップＳ１２−Ｙｅｓ）、プロセスはステップＳ１３へ進む。第１識別子が通信部２９によって取得されなかったと判定されると（ステップＳ１２−Ｎｏ）、プロセスはステップＳ１１に戻る。
【００８６】
ステップＳ１３：コントローラ３０は、第１識別子と同一の取得識別子を示す電波の受信強度が第１所定値以上であるか否かを判定する。電波の受信強度が第１所定値以上であると判定されると（ステップＳ１３−Ｙｅｓ）、プロセスはステップＳ１４へ進む。電波の受信強度が第１所定値未満であると判定されると（ステップＳ１３−Ｎｏ）、プロセスはステップＳ１１に戻る。
【００８７】
ステップＳ１４：コントローラ３０は加速度センサ２８１によって電子機器２の加速度を検出する。
【００８８】
ステップＳ１５：コントローラ３０は加速度が第２所定値以下であるか否かを判定する。加速度が第２所定値以下であると判定されると（ステップＳ１５−Ｙｅｓ）、プロセスはステップＳ１６へ進む。加速度が第２所定値より高いと判定されると（ステップＳ１５−Ｎｏ）、プロセスはステップＳ１１に戻る。
【００８９】
ステップＳ１６：コントローラ３０は、ユーザが帰宅したと特定する。
【００９０】
ステップＳ１７：コントローラ３０は、第２識別子を通信部２９によって取得したか否かを判定する（ステップＳ１７）。第２識別子が通信部２９によって取得されたと判定されると（ステップＳ１７−Ｙｅｓ）、プロセスは終了する。第２識別子が通信部２９によって取得されなかったと判定されると、プロセスはステップＳ１８へ進む。
【００９１】
ステップＳ１８：コントローラ３０は、所定の他の電子機器４にユーザが帰宅したことを通信部２９によって通知する。
【００９２】
ステップＳ１９：コントローラ３０は、通話要求を受信したことを知らせる音に関する設定を出力モードに設定する。
【００９３】
ステップＳ２０：コントローラ３０は通話要求に対する応答設定を自動応答モードに設定する。コントローラ３０は、通話中の音に関する設定をスピーカモードに設定する。
【００９４】
次に、図６に示すフローチャートを参照して、本実施形態に係る電子機器２の動作の他の例について説明する。電子機器２は、所定の時間間隔で動作を開始する。
【００９５】
ステップＳ３１：コントローラ３０は、通信デバイスを通信部２９によってスキャンする。
【００９６】
ステップＳ３２：コントローラ３０は、第３識別子を通信部２９によって取得したか否かを判定する。第３識別子が通信部２９によって取得されたと判定されると（ステップＳ３２−Ｙｅｓ）、プロセスはステップＳ３３へ進む。第３識別子が通信部２９によって取得されなかったと判定されると（ステップＳ３２−Ｎｏ）、プロセスはステップＳ３１に戻る。
【００９７】
ステップＳ３３：コントローラ３０は、第３識別子と同一の取得識別子を示す電波の受信強度が第１所定値以上であるか否かを判定する。受信強度が第１所定値以上であると判定されると（ステップＳ３３−Ｙｅｓ）、プロセスはステップＳ３４へ進む。受信強度が第１所定値未満であると判定されると（ステップＳ３３−Ｎｏ）、コントローラ３０は、ステップＳ３１に戻る。
【００９８】
ステップＳ３４：コントローラ３０は、ユーザが自宅とは異なる所定の場所にいると特定する。
【００９９】
ステップＳ３５：コントローラ３０は、通信デバイスを通信部２９によってスキャンする。
【０１００】
ステップＳ３６：コントローラ３０は、第３識別子を取得したか否かを判定する。第３識別子が取得されたと判定されると（ステップＳ３６−Ｙｅｓ）、プロセスはステップＳ３７へ進む。第３識別子が取得されなかったと判定されると（ステップＳ３６−Ｎｏ）、プロセスはステップＳ３８へ進む。
【０１０１】
ステップＳ３７：コントローラ３０は、第３識別子と同一の取得識別子を示す電波の受信強度が第１所定値以上であるか否かを判定する。電波の受信強度が第１所定値以上であると判定されると（ステップＳ３７−Ｙｅｓ）、プロセスはステップＳ３５に戻る。電波の受信強度が第１所定値未満であると判定されると（ステップＳ３７−Ｎｏ）、プロセスはステップＳ３８へ進む。
【０１０２】
ステップＳ３８：コントローラ３０は、ユーザが帰宅を開始したと特定する。
【０１０３】
ステップＳ３９：コントローラ３０は、所定の他の電子機器４にユーザが帰宅を開始したことを通知する。
【０１０４】
ステップＳ４０：コントローラ３０は、ユーザが帰宅を開始したと特定してから所定の時間が経過したか否かを判定する。
【０１０５】
ステップＳ４１：コントローラ３０は、帰宅開始の特定以降にユーザが帰宅したと特定したか否かを判定する。ユーザの帰宅完了が特定されたと判定されると、プロセスは終了する。ユーザの帰宅完了が特定されなかったと判定されると、プロセスはステップＳ４２へ進む。
【０１０６】
ステップＳ４２：コントローラ３０は、所定の他の電子機器４にユーザの帰宅が遅延していることを通知する。
【０１０７】
以上、上述の実施形態によれば、電子機器２は、自機のユーザの自宅に備えられた通信装置１の第１識別子を、無線通信を用いて通信部２９によって取得すると、ユーザが帰宅したと特定する。電子機器２は、通信装置１の第１識別子を取得するために、該通信装置１の電波の届く範囲である自宅内または自宅周辺に存在することが求められる。したがって、電子機器２が通信装置１の第１識別子を取得することによって、該電子機器２は自宅内または自宅周辺に存在すると確度が高いと考えられる。そのため、電子機器２は、ＧＰＳ受信機を用いた場合に比べて、高い精度で該電子機器２が自宅に存在することを特定し得る。電子機器２の位置は、当該電子機器２を所持するユーザの位置に相当し得る。したがって、電子機器２は、高い精度で該電子機器２のユーザが帰宅したと特定することができる。
【０１０８】
上述の実施形態によれば、電子機器２は、自機のユーザが帰宅したと特定すると、ユーザが帰宅したことを通信部２９によって所定の他の電子機器４に通知する。このため、例えば、所定の他の電子機器４のユーザである親は、電子機器２のユーザである子供が帰宅したことを認識することができる。したがって、電子機器２の利便性が向上される。
【０１０９】
上述の実施形態によれば、電子機器２は、自機のユーザが帰宅したと特定すると、所定の他の電子機器４が自宅に存在しない場合、ユーザが帰宅したことを通信部２９によって所定の他の電子機器４に通知する。親が自宅にいる場合、通知によらずとも子供と直接対面することによって子供の帰宅を認識することができる。このような場合、電子機器２は所定の他の電子機器４へ通知しないことによって、所定の他の電子機器４のユーザである親が、電子機器２からの通知に対して必要のない注意を払わなければならない可能性を軽減できる。したがって、電子機器２の利便性が向上される。
【０１１０】
上述の実施形態によれば、電子機器２は、所定の他の電子機器４の第２識別子を通信部２９によって取得すると、所定の他の電子機器４が自機のユーザの自宅に存在すると特定する。このため、電子機器２は、所定の他の電子機器４に該電子機器４の位置情報を要求することなく、該電子機器４が自宅に存在するか否かを判定することができる。したがって、電子機器２が所定の他の電子機器４の位置情報を取得することに伴うＣＰＵの処理負荷を軽減し、通信量を低減させることができる。
【０１１１】
上述の実施形態によれば、電子機器２は、自機のユーザが帰宅したと特定すると、所定の他の電子機器４からの通話要求を通信部２９によって受信したことを知らせる音に関する設定を、スピーカ２４に音を出力させる出力モードに設定する。このため、電子機器２のユーザが操作によって出力モードに設定する手間を軽減することが可能になる。電子機器２のユーザが出力モードに設定し忘れることがある。この場合も、所定の他の電子機器４からの通話要求があったときに、コントローラ３０は、スピーカ２４に音を出力させるため、ユーザは通話要求に確実に気付くことができる。このため、例えば外出先にいる親がユーザに電話による連絡をとろうとしたときに、ユーザが当該電話に気付かないといった事態となる可能性を低減することができる。したがって、電子機器２の利便性が向上される。
【０１１２】
上述の実施形態によれば、電子機器２は、ユーザが帰宅したと特定すると、通話要求に対する応答設定を、自動的に所定の他の電子機器４からの通話要求に対し、自動的に応答して通話を開始する自動応答モードに設定する。このため、ユーザが自宅にいるとき、仮に該ユーザが通話要求に気付かなくても、電子機器２は、所定の他の電子機器４との通話状態となることができる。電子機器２は、通話中の音に関する設定を、通話中の音声をスピーカ２４に出力させるスピーカモードに設定する。このため、通話状態となった後に、所定の他の電子機器４からの通話による音声を、電子機器２から離れているユーザに聞かせることができる。例えば、所定の他の電子機器４のユーザである親の声に基づく音声がスピーカ２４から出力され、ユーザが親から電話による連絡があったことを認識する可能性を高めることができる。したがって、電子機器２の利便性が向上される。
【０１１３】
上述の実施形態によれば、第１識別子の情報を含む電波を受信し、第１識別子を取得し、かつ電波の受信強度が第１所定値よりも大きいと判定すると、自機のユーザが帰宅したと特定する。ユーザが自宅周辺に存在し、自宅内には存在していないとき、電子機器２は通信装置１から送信された第１識別子を取得することがある。この場合、第１識別子の情報を含む電波の受信強度は微弱であることが多い。このため、電波の受信強度が、自宅内で見込まれる電波の受信強度より大きい場合、ユーザが帰宅したと特定することによって、より高い精度での特定が可能となる。したがって、電子機器２の利便性が向上される。
【０１１４】
上述の実施形態によれば、電子機器２は、第１識別子を通信部２９によって取得し、かつセンサ部２８が検出した自機の動きに基づいて自機がユーザに所持されずに置かれていると判定すると、自機のユーザが帰宅したと特定する。一般に、電子機器２のユーザは帰宅すると、該電子機器２を自宅内のいずれかの場所に置いておくことが多いと考えられる。ユーザは、外出中に常に自身の移動とともに電子機器２を移動させるのに対して、帰宅後において電子機器２を所持せずに置いていることが多い。そのため、コントローラ３０が、センサ部２８によって電子機器２の動きを検出し、当該動きに基づいて電子機器２が置かれていると判定する場合、ユーザが自宅にいる確度がより高いと見込まれる。したがって、電子機器２の利便性が向上される。
【０１１５】
上述の実施形態によれば、電子機器２は、第１識別子を通信部２９によって取得した後、通信部２９と通信装置１との通信の接続が確立されると、自機のユーザが帰宅したと特定する。ユーザが自宅周辺に存在し、自宅内には存在していないとき、電子機器２は通信装置１から送信された第１識別子を取得することがある。この場合、第１識別子の情報を含む電波の受信強度は微弱であるために、通信部２９と通信装置１との通信の接続が確立できないことがある。第１識別子を通信部２９によって取得するだけでなく、通信部２９と通信装置１との通信の接続が確立されるためには、電子機器２は自宅内に存在していることが求められる。したがって、通信部２９と通信装置１との通信の接続が確立されたことによって確実にユーザが自宅に存在すると見込まれる。このため、通信部２９と通信装置１との通信の接続が確立されると、自機のユーザが帰宅したと特定することによってより高い精度での特定が可能となる。したがって、電子機器２の利便性が向上される。
【０１１６】
上述の実施形態によれば、電子機器２は、第１識別子を取得した後、通信装置１との接続を確立するための手続きを行うことなく、ユーザが帰宅したと特定する。この場合、ユーザは、事前に電子機器２を、通信機器１との接続を確立するための手続きを行わせるモードに設定しておく、または電子機器２に対して、通信機器１との接続を確立するための手続きを行わせるための操作を行う、といった必要がない。したがって、より簡単に電子機器２によって該電子機器２のユーザが帰宅したと特定することができる。ただし、電子機器２がこのように構成される場合、上述のように、第１識別子の情報を含む電波の受信強度が微弱になり得る。よって、コントローラ３０は、通信装置１との接続を確立するための手続きを行うことなく、第１識別子を取得し、かつセンサ部２８が検出した自機の動きに基づいて、電子機器２がユーザに所持されずに置かれていると判定すると、自機のユーザが帰宅したと特定することが好ましい。これにより、簡単に電子機器２によって該電子機器２のユーザが帰宅したと特定することができつつ、電子機器２によって該電子機器２のユーザが帰宅したと特定する精度が向上する。したがって、電子機器２の利便性が向上される。
【０１１７】
上述の実施形態によれば、電子機器２は、自機が自宅から所定の範囲内に存在すると判定すると、通信部２９によって通信装置１をスキャンする。電子機器２が通信装置１をスキャンするには、ＣＰＵの処理負荷を高め、電力消費を伴う。仮に、電子機器２が、ユーザの外出中における自宅から所定の範囲外で常時、定期的に通信装置１をスキャンすると多くの電力が無駄に消費されることになる。このため、自宅から所定の範囲内に存在するときのみに通信装置１をスキャンすることによって電力の消費を軽減することができる。したがって、電子機器２の利便性が向上される。
【０１１８】
上述の実施形態によれば、電子機器２は、位置情報取得部が取得した位置情報に基づいて、自機が所定の範囲内から範囲外に移動したと判定すると、自機のユーザが帰宅を開始したと特定する。このため、例えば、電子機器２のユーザが存在する頻度の高い場所を所定の範囲内としたときに、範囲外に移動したことはユーザが帰宅を開始したことが見なし得る。したがって、電子機器２は、帰宅を開始したことを特定することができる。したがって、電子機器２の利便性が向上される。
【０１１９】
上述の実施形態によれば、電子機器２は、自宅とは異なる所定の場所に備えられた通信装置５の第３識別子を通信部２９によって取得した後、第３識別子を取得しなくなると、自機のユーザが帰宅を開始したと特定する。電子機器２は、ＧＰＳ受信機を用いた場合に比べて、高い精度でユーザが滞在する頻度の高い場所から離れたことを特定することができる。したがって、電子機器２は、高い精度で該電子機器２のユーザが帰宅を開始したことを特定することができる。
【０１２０】
上述の実施形態によれば、電子機器２は、自機のユーザが帰宅を開始したと特定すると、所定の他の電子機器４に帰宅を開始したことを通信部２９によって通知する。このため、例えば、所定の他の電子機器４のユーザである親は、電子機器２のユーザである子供が帰宅を開始したことを高い精度で認識することができる。
【０１２１】
上述の実施形態によれば、自機のユーザが帰宅を開始したと特定してから所定の時間が経過し、自機のユーザが帰宅したと特定しない場合、所定の他の電子機器４に自機のユーザの帰宅が遅れていることを通信部２９によって通知する。このため、所定の他の電子機器４のユーザである親は、電子機器２のユーザである子供の帰宅の遅れを認識することができる。したがって、親は子供の帰宅途中において通常とは異なる事態が発生した可能性を鑑みて、この安全を確認するための早期の対応を行うことができる。
【０１２２】
上述の実施形態は代表的な例として説明したが、本開示の趣旨および範囲内で、多くの変更および置換ができることは当業者に明らかである。従って、本開示は、上述の実施形態によって制限するものと解するべきではなく、特許請求の範囲から逸脱することなく、種々の変形および変更が可能である。例えば、実施形態に記載の複数の構成ブロックを１つに組合せたり、あるいは１つの構成ブロックを分割したりすることが可能である。
【０１２３】
例えば、上述の実施形態において、センサ部２８は、電子機器２の加速度の方向および大きさを検出する加速度センサ２８１を含むとしたが、これに限られない。センサ部２８は、加速度センサ２８１の代わりに、または加速度センサ２８１に加えて、例えば、ジャイロセンサを含んでよい。ジャイロセンサは、電子機器２の角速度を検出する。ジャイロセンサは、３軸タイプの振動ジャイロセンサであってよい。ジャイロセンサは、ＭＥＭＳ（Micro Electro Mechanical Systems）技術で形成されてよい。ジャイロセンサは光学式ジャイロセンサであってよい。
【０１２４】
上述の実施形態において、コントローラ３０は、通信部２９がスキャンによって受信した電波が示す第２識別子を取得するとしたが、この限りではない。例えば、コントローラ３０は、ユーザが帰宅を完了したと判定すると、所定の他の電子機器４に、当該電子機器４が取得している識別子を近距離の無線通信を介して要求してよい。コントローラ３０は、当該電子機器４が取得している識別子を、遠距離の通信規格を用いて要求してよい。この場合、コントローラ３０は、所定の他の電子機器４が要求に基づいて送信した電波を受信することによって第２識別子を取得する。
【０１２５】
上述の実施形態において、コントローラ３０は、ステップＳ１３で電波の受信強度が第１所定値以上であると判定された場合、ステップＳ１４で加速度が第２所定値以下であるか否かを判定するがこれに限られない。例えば、コントローラ３０は、ステップＳ１４の処理を行って、加速度が第２所定値以下であると判定された場合、電波の受信強度が第１所定値以上であるか否かを判定してよい。コントローラ３０は、ステップＳ１３およびステップＳ１４の１つ以上の処理を省略してよい。
【０１２６】
上述の実施形態において、コントローラ３０は、帰宅開始特定において受信強度が第１所定値以上であるか否かを判定したが、この限りではない。コントローラ３０は、受信強度が第１所定値とは異なる第３所定値異常であるか否かを判定してよい。
【０１２７】
上述の実施形態において、コントローラ３０は、ステップＳ１９で通話要求に対する応答に関する設定を自動モードにする。コントローラ３０は、通話中の音に関する設定をスピーカモードにする。しかし、これに限られない。例えば、コントローラ３０は、通話要求に対する応答設定を録音モードにしてよい。この場合、コントローラ３０は、ステップＳ１９の処理を省略してよい。
【０１２８】
上述の実施形態において、コントローラ３０は、ステップＳ３３およびＳ３７のいずれか１つ以上の処理を省略してよい。コントローラ３０は、ステップＳ４０からＳ４２の処理を省略してよい。
【０１２９】
電子機器２は、例えば、図７に示すような携帯電話であってよい。本実施形態において、電子機器１の入力部２３は、当該入力部２３に連結されたストラップ３２を有してもよい。入力部２３は、ストラップ３２を介してユーザに引っ張られる操作を入力する。コントローラ３０は、ストラップ３２を介してユーザに引っ張られる操作が入力されると、音を出力させてよい。音は、周囲の人物等に危険な状況を報知するための警告音であってよい。
【符号の説明】
【０１３０】
１，５  通信装置
２      電子機器
４      他の電子機器
２２    ディスプレイ
２３    入力部
２４    スピーカ
２５    レシーバ
２６    マイク
２７    バイブレータ
２８    センサ部
２９    通信部
３０    コントローラ
３１    メモリ
１００  通信システム
２８１  加速度センサ
２８２  ＧＰＳセンサ
３２    ストラップ
【図１】
2018201171.tif 000003
【図２】
2018201171.tif 000004
【図３】
2018201171.tif 000005
【図４】
2018201171.tif 000006
【図５】
2018201171.tif 000007
【図６】
2018201171.tif 000008
【図７】
2018201171.tif 000009
【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
無線通信を行う通信部と、
コントローラと、
スピーカと、を備え、
前記コントローラは、
自機のユーザの自宅に備えられた通信装置の第１識別子を、前記通信部によって取得すると、前記ユーザが帰宅したと特定し、
前記ユーザが帰宅したと特定すると、通話要求に対する応答設定を、所定の他の電子機器からの通話要求に対し自動的に応答して通話を開始する自動応答モードに設定し、通話中の音に関する設定を、通話中の音声を前記スピーカに出力させるスピーカモードに設定する、
電子機器。
【請求項２】
前記コントローラは、
前記ユーザが帰宅したと特定すると、前記ユーザが帰宅したことを前記通信部によって所定の他の電子機器に通知する、
請求項１に記載の電子機器。
【請求項３】
前記コントローラは、
前記ユーザが帰宅したと特定し、かつ前記所定の他の電子機器が前記ユーザの自宅に存在すると特定しないと、前記ユーザが帰宅したことを前記通信部によって前記所定の他の電子機器に通知する、
請求項２に記載の電子機器。
【請求項４】
前記コントローラは、
前記所定の他の電子機器の第２識別子を前記通信部によって取得すると、前記所定の他の電子機器が前記ユーザの自宅に存在すると特定する、
請求項３に記載の電子機器。
【請求項５】
前記コントローラは、
前記ユーザが帰宅したと特定すると、所定の他の電子機器からの通話要求を前記通信部によって受信したことを知らせる音に関する設定を、前記スピーカに前記音を出力させる出力モードに設定する、
請求項１から４のいずれか一項に記載の電子機器。
【請求項６】
前記コントローラは、
前記通信装置からの電波を前記通信部によって受信し、
前記第１識別子を取得し、かつ前記電波の受信強度が所定の値よりも大きいと判定すると、前記ユーザが帰宅したと特定する、
請求項１から５のいずれか一項に記載の電子機器。
【請求項７】
自機の動きを検出するセンサを備え、
前記コントローラは、
前記第１識別子を前記通信部によって取得し、かつ前記センサが検出した前記自機の動きに基づいて前記自機が前記ユーザに所持されずに置かれていると判定すると、前記ユーザが帰宅したと特定する、
請求項１から６のいずれか一項に記載の電子機器。
【請求項８】
前記コントローラは、
前記第１識別子を前記通信部によって取得した後、前記自機と前記通信装置との間で通信の接続が確立されると、前記ユーザが帰宅したと特定する、
請求項１から７のいずれか一項に記載の電子機器。
【請求項９】
前記自機の位置に関する位置情報を取得する位置情報取得部を備え、
前記コントローラは、
前記位置情報取得部が取得した前記位置情報に基づいて、前記自機が前記ユーザの自宅から所定の範囲内に存在するか否かを判定し、
前記自機が前記所定の範囲内に存在すると判定すると、前記通信部によって通信装置をスキャンする、
請求項１から８のいずれか一項に記載の電子機器。
【請求項１０】
前記自機の位置に関する位置情報を取得する位置情報取得部を備え、
前記コントローラは、
前記位置情報取得部が取得した前記位置情報に基づいて、前記自機が自宅とは異なる所定の場所を含む所定の範囲内から範囲外に移動したか否かを判定し、
前記自機が前記所定の範囲内から範囲外に移動したと判定すると、前記ユーザが帰宅を開始したと特定する、
請求項１から９のいずれか一項に記載の電子機器。
【請求項１１】
前記コントローラは、
前記自宅とは異なる所定の場所に備えられた通信装置の第３識別子を前記通信部によって取得した後、前記第３識別子を取得しなくなると、前記ユーザが帰宅を開始したと特定する、
請求項１から１０のいずれか一項に記載の電子機器。
【請求項１２】
前記コントローラは、
前記ユーザが帰宅を開始したと特定すると、前記所定の他の電子機器に帰宅を開始したことを通信部によって通知する、
請求項１０または１１に記載の電子機器。
【請求項１３】
前記コントローラは、
前記ユーザが帰宅を開始したと特定してから所定の時間が経過し、かつ前記ユーザが帰宅したと特定しないと、前記所定の他の電子機器に前記ユーザの帰宅が遅れていることを前記通信部によって通知する、
請求項１２に記載の電子機器。
【請求項１４】
電子機器と、前記電子機器のユーザの自宅に備えられた通信装置とが無線通信で互いに通信を行う通信システムであって、
前記通信装置は、当該通信装置の第１識別子を送信し、
前記電子機器は、スピーカを備え、前記第１識別子を取得すると、前記ユーザが帰宅したと特定し、前記ユーザが帰宅したと特定すると、通話要求に対する応答設定を、所定の他の電子機器からの通話要求に対し自動的に応答して通話を開始する自動応答モードに設定し、通話中の音に関する設定を、通話中の音声を前記スピーカに出力させるスピーカモードに設定する、
通信システム。
【請求項１５】
スピーカを備える電子機器が実行する情報処理方法であって、
自機のユーザの自宅に備えられた通信装置の第１識別子を取得すると、前記ユーザが帰宅したと特定し、前記ユーザが帰宅したと特定すると、通話要求に対する応答設定を、所定の他の電子機器からの通話要求に対し自動的に応答して通話を開始する自動応答モードに設定し、通話中の音に関する設定を、通話中の音声を前記スピーカに出力させるスピーカモードに設定する、
情報処理方法。
【手続補正２】
【補正対象書類名】明細書
【補正対象項目名】０００６
【補正方法】変更
【補正の内容】
【０００６】
本開示の一実施形態に係る電子機器は、無線通信を行う通信部と、コントローラと、スピーカと、を備える。前記コントローラは、自機のユーザの自宅に備えられた通信装置の第１識別子を、前記通信部によって取得すると、前記ユーザが帰宅したと特定する。前記コントローラは、前記ユーザが帰宅したと特定すると、通話要求に対する応答設定を、所定の他の電子機器からの通話要求に対し自動的に応答して通話を開始する自動応答モードに設定する。前記コントローラは、前記ユーザが帰宅したと特定すると、通話中の音に関する設定を、通話中の音声を前記スピーカに出力させるスピーカモードに設定する。
【手続補正３】
【補正対象書類名】明細書
【補正対象項目名】０００７
【補正方法】変更
【補正の内容】
【０００７】
本開示の一実施形態に係る通信システムは、電子機器と前記電子機器のユーザの自宅に備えられた通信装置とが無線通信で互いに通信を行う。前記通信装置は、当該通信装置を識別するための第１識別子を送信する。前記電子機器は、スピーカを備える。前記電子機器は、無線通信を行う通信部と、コントローラと、を備える。前記コントローラは、自機のユーザの自宅に備えられた通信装置の第１識別子を、前記通信部によって取得すると、前記ユーザが帰宅したと特定する。前記コントローラは、前記ユーザが帰宅したと特定すると、通話要求に対する応答設定を、所定の他の電子機器からの通話要求に対し自動的に応答して通話を開始する自動応答モードに設定する。前記コントローラは、前記ユーザが帰宅したと特定すると通話中の音に関する設定を、通話中の音声を前記スピーカに出力させるスピーカモードに設定する。
【手続補正４】
【補正対象書類名】明細書
【補正対象項目名】０００８
【補正方法】変更
【補正の内容】
【０００８】
本開示の一実施形態に係る情報処理方法は、スピーカを備える電子機器が実行する情報処理方法である。前記電子機器は、自機のユーザの自宅に備えられた通信装置の第１識別子を取得すると、前記ユーザが帰宅したと特定する。前記電子機器は、前記ユーザが帰宅したと特定すると、通話要求に対する応答設定を、所定の他の電子機器からの通話要求に対し自動的に応答して通話を開始する自動応答モードに設定する。前記電子機器は、前記ユーザが帰宅したと特定すると、通話中の音に関する設定を、通話中の音声を前記スピーカに出力させるスピーカモードに設定する。